(57)【要約】【課題】様々な装飾を容易に施すことができる衣服用帯を提供する。【解決手段】衣服に用いられ、人体の胴部１０ａに巻き付けられる胴帯１０と、胴帯１０における人体の背部相当位置に装着される帯枕１００と、を有する衣服用帯１であって、胴帯１０の表面側に線状部材２０，３０を長手方向に沿って設ける。線状部材２０，３０は、物品４０を引っ掛け可能に設けられ、線状部材２０，３０を胴帯１０の表面側から覆い隠す被覆部２３，３３を有する。線状部材２０，３０は、針金状の部材とし、より詳しくはプラスチック製とする。【選択図】図１
2018066104.tif 000002
【特許請求の範囲】
【請求項１】
衣服用帯に設けられ、お太鼓帯を装着するお太鼓枕具または装飾を装着する装飾枕具を有する帯枕であって、
前記お太鼓枕具は、前記お太鼓帯を装着するお太鼓装着部と、前記お太鼓装着部を前記胴帯に固定するお太鼓固定部と、を有することを特徴とする帯枕。
【請求項２】
前記お太鼓装着部は、水平方向に延びて前記お太鼓帯を巻き付ける巻き付け部と、前記巻き付け部の下方側に枠状に設けられ、前記お太鼓帯を挿通して前記巻き付け部に供給する挿通部と、を有することを特徴とする請求項１に記載の帯枕。
【請求項３】
前記お太鼓装着部は、前記お太鼓装着部に取り付けられて更に前記胴帯の装飾を補助して行うお太鼓補助具を有することを特徴とする請求項１または請求項２に記載の帯枕。
【請求項４】
前記お太鼓補助具は、前記お太鼓装着部に嵌め込んで固定される固定具と、前記固定具に設けられ前記胴帯の装飾を補助して行う補助具と、を有することを特徴とする請求項３に記載の帯枕。
【請求項５】
前記補助具は、クリップ状部材とすることを特徴とする請求項４に記載の帯枕。
【請求項６】
前記クリップ状部材は、前記固定具から下方側に延びて前記装飾を水平方向に取り付けることを特徴とする請求項５に記載の帯枕。
【請求項７】
前記装飾枕具は、前記装飾を装着する装飾装着部と、前記装飾装着部を前記胴帯に固定する装飾固定部と、を有することを特徴とする請求項１に記載の帯枕。
【請求項８】
前記装飾装着部は、水平方向に延びて筒状に形成されることを特徴とする請求項７に記載の帯枕。
【請求項９】
前記装飾装着部は、第１の半筒状部と、第２の半筒状部と、を有して前記筒状を形成するとともに、前記第１の半筒状部と前記第２の半筒状部は、前記軸体を介して開閉可能に形成されることを特徴とする請求項８に記載の帯枕。
【請求項１０】
前記第１の半筒状部と前記第２の半筒状部は、内側が開閉可能に形成されることを特徴とする請求項９に記載の帯枕。
【請求項１１】
前記装飾装着部は、前記装飾装着部に取り付けられて更に前記胴帯の装飾を補助して行う装飾補助具を有することを特徴とする請求項７乃至請求項１０のうちいずれか一項に記載の帯枕。
【請求項１２】
前記装飾補助具は、前記装飾装着部に嵌め込んで固定される固定具と、前記固定具に設けられ前記胴帯の装飾を補助して行う補助具と、を有することを特徴とする請求項１１に記載の帯枕。
【請求項１３】
前記補助具は、多面体形状または球形状とし、前記多面体形状または前記球形状は、孔部を有することを特徴とする請求項１２に記載の帯枕。
【請求項１４】
前記孔部は、弾性体により閉塞されるとともに、前記弾性体には、切り込みが設けられることを特徴とする請求項１３に記載の帯枕。
【発明の詳細な説明】
【技術分野】
【０００１】
本発明は、帯枕に関し、特に様々なお太鼓を容易に形成しまたは様々な装飾を容易に施すことができる帯枕に関する。
【背景技術】
【０００２】
従来から様々な形態の衣服用帯が提案されており、近年は各種の模様や装飾が施された帯が好まれるようになっている。例えば特許文献１または特許文献２においては、絵柄が施された帯が提案されており、特許文献３においては、帯に取り付ける装飾が提案されている。
【先行技術文献】
【特許文献】
【０００３】
【特許文献１】特開平１１−１３１３１２号公報
【特許文献２】特開２０１４−１５６６８４号公報
【特許文献３】特開２００６−１３２０６１号公報
【発明の概要】
【発明が解決しようとする課題】
【０００４】
ところで、近年は、和服の需要が非常に多くなっており、特に若者や外国人の間でその需要が広がる等嗜好も多様化している。このため従来にない斬新なアイデアの和服の提供が求められており、特に様々なお太鼓を容易に形成しまたは様々な装飾を容易に施すことができるように各種の商品開発がなされていた。
【０００５】
本発明はこのような事情に鑑みてなされたものであり、様々なお太鼓を容易に形成しまたは様々な装飾を容易に施すことができる帯枕を提供することを目的とする。
【課題を解決するための手段】
【０００６】
上記目的を達成するために、帯枕に係る請求項１の発明は、衣服用帯に設けられ、お太鼓帯を装着するお太鼓枕具または装飾を装着する装飾枕具を有する帯枕であって、お太鼓枕具は、お太鼓帯を装着するお太鼓装着部と、お太鼓装着部を胴帯に固定するお太鼓固定部と、を有することを特徴とする。
本発明によれば、お太鼓枕具は、お太鼓帯を装着するお太鼓装着部と、お太鼓装着部を胴帯に固定するお太鼓固定部と、を有することとしたので、様々なお太鼓を容易に装着し形成することができる。
【０００７】
お太鼓装着部は、水平方向に延びてお太鼓帯を巻き付ける巻き付け部と、巻き付け部の下方側に枠状に設けられ、お太鼓帯を挿通して巻き付け部に供給する挿通部と、を有することとすれば、お太鼓帯を胴帯とは別体として容易に様々なお太鼓を形成することができる（請求項２）。
お太鼓装着部は、お太鼓装着部に取り付けられて更に胴帯の装飾を補助して行うお太鼓補助具を有することとすることができる（請求項３）。
【０００８】
お太鼓補助具は、お太鼓装着部に嵌め込んで固定される固定具と、固定具に設けられ胴帯の装飾を補助して行う補助具と、を有することとすることができる（請求項４）。
補助具は、クリップ状部材とすることとすれば（請求項５）、より詳しくは、前記クリップ状部材は、固定具から下方側に延びて装飾を水平方向に取り付けることとすれば（請求項６）、お太鼓における装飾のバリエーションを向上させることができる。
【０００９】
装飾枕具は、装飾を装着する装飾装着部と、装飾装着部を胴帯に固定する装飾固定部と、を有することとすることとすれば、様々な装飾を容易に施すことができる（請求項７）。
装飾装着部は、水平方向に延びて筒状に形成されることとすれば、筒状の中空内部に差し込むことにより様々な装飾を容易に施すことができる（請求項８）。
【００１０】
装飾装着部は、第１の半筒状部と、第２の半筒状部と、を有して筒状を形成するとともに、第１の半筒状部と第２の半筒状部は、軸体を介して開閉可能に形成されることとすれば、半筒状部を開放して装飾を挿入する等、操作性を向上させて容易に装飾を行うことができる（請求項９）。
【００１１】
第１の半筒状部と第２の半筒状部は、内側が開閉可能に形成されることとすれば、すなわち人体側が開閉可能に形成されることとすれば、装飾の挿入動作が目視し易く、また装飾を落下させることも少なく操作性を更に向上させることができる（請求項１０）。
装飾装着部は、装飾装着部に取り付けられて更に胴帯の装飾を補助して行う装飾補助具を有することとすることができる（請求項１１）。
【００１２】
装飾補助具は、装飾装着部に嵌め込んで固定される固定具と、固定具に設けられ胴帯の装飾を補助して行う補助具と、を有することとすることができる（請求項１２）。
補助具は、多面体形状または球形状とし、多面体形状または球形状は、孔部を有することとすれば、孔部に装飾を差し込む等することにより各種の方向に向けて装飾を施すことができ装飾のバリエーションを向上させることができる（請求項１３）。
【００１３】
孔部は、弾性体により閉塞されるとともに、弾性体には、切り込みが設けられることとすれば、切り込みが作用することにより、装飾の挿入に支障を来すことが少なくなり、かつ、装飾が抜け出ることも適切に防止することができる（請求項１４）。
【発明の効果】
【００１４】
本発明によれば、様々なお太鼓を容易に形成しまたは様々な装飾を容易に施すことができる。
【図面の簡単な説明】
【００１５】
【図１】本発明の第１実施形態に係る衣服用帯の全体構成を示す背面図である。
【図２】同衣服用帯の胴帯の構成を示す平面図である。
【図３】同衣服用帯の胴帯の構成を示す図２を拡大した拡大平面図である。
【図４】同衣服用帯の胴帯の形成方法を説明するための模式図である。
【図５】同胴帯の装着方法を説明するための斜視図であり、（ａ）はベルト部を孔部に挿通した状態を示す斜視図、（ｂ）はベルト部を更に環状部に挿通した状態を示す斜視図、（ｃ）は胴帯の装着が完了した状態を示す斜視図である。
【図６】同衣服用帯のお太鼓枕具の構成を説明するための図であり、（ａ）は正面図、（ｂ）は側面図、（ｃ）は側面分解図、（ｄ）は背面図、（ｅ）は上面図である。
【図７】同お太鼓枕具のクリップ部の構成を示す拡大側面図である。
【図８】同衣服用帯のお太鼓補助具を説明するための図であり、（ａ）は動作前の状態を示す側面図、（ｂ）は動作後の状態を示す側面図である。
【図９】同衣服用帯の装着方法を説明するための側面図である。
【図１０】同衣服用帯の装着方法を説明するための図９に続く側面図である。
【図１１】同衣服用帯の装着方法を説明するための図１０に続く側面図である。
【図１２】同衣服用帯の装着方法を説明するための図１１に続く側面図である。
【図１３】同衣服用帯の装着方法を説明するための図１２に続く側面図である。
【図１４】同衣服用帯の装着方法を説明するための図１３に続く側面図である。
【図１５】同衣服用帯の装着方法を説明するための図１４に続く側面図である。
【図１６】同衣服用帯の装着方法を説明するための図１５に続く側面図である。
【図１７】同衣服用帯の装着方法を説明するための図１６に続く側面図である。
【図１８】本発明の第２実施形態に係る衣服用帯の胴帯の全体構成を示す平面図である。
【図１９】同胴帯を装着した衣装用帯の全体構成を示す背面図である。
【図２０】本発明の第３実施形態に係る衣服用帯の装飾枕具の構成を示す図であり、（ａ）は正面図、（ｂ）は側面図、（ｃ）は側面分解図、（ｄ）は動作後の状態を示す側面図、（ｅ）は背面図である。
【図２１】同衣服用帯の装着方法を説明するための図であり、（ａ）は装飾枕具を背面に装着した状態を示す側面図、（ｂ）は装着枕具を動作させた状態を示す側面図、（ｃ）は装飾枕具に装飾を施した状態を示す背面図である。
【図２２】同衣服用帯の装飾枕具の変形例を示す図であり、（ａ）は正面図、（ｂ）は側面図、（ｃ）は側面分解図、（ｄ）は背面図である。
【図２３】同衣服用帯の装飾枕具の別の変形例を示す図であり、（ａ）は正面図、（ｂ）は側面図、（ｃ）は側面分解図、（ｄ）は背面図、（ｅ）は動作後の状態を示す背面図である。
【図２４】同衣服用帯の装飾枕具の更に別の変形例を示す図であり、（ａ）は正面図、（ｂ）は側面図、（ｃ）は側面分解図、（ｄ）は動作後の状態を示す側面図、（ｅ）は背面図である。
【図２５】同衣服用帯の装飾枕具の更にまた別の変形例を示す図であり、（ａ）は正面図、（ｂ）は側面図、（ｃ）は動作後の状態を示す側面図、（ｄ）は背面図である。
【図２６】本発明の第５実施形態に係る衣服用帯の装飾補助具を示す図であり、（ａ）は上面図、（ｂ）は側面図、（ｃ）は斜視図である。
【図２７】同装飾補助具を装着した衣装用帯の全体構成を示す背面図である。
【図２８】同装飾補助具の変形例を示す図であり、（ａ）は上面図、（ｂ）は側面図、（ｃ）は斜視図である。
【図２９】同装飾補助具を装着した衣装用帯の全体構成を示す図であり、（ａ）は側面図、（ｂ）は背面図である。
【図３０】同装着補助具の別の変形例を示す図であり、（ａ）は上面図、（ｂ）は側面図である。
【図３１】同装着補助具の更に別の変形例を示す図であり、（ａ）は上面図、（ｂ）は側面図、（ｃ）は斜視図である。
【発明を実施するための形態】
【００１６】
以下、本発明の第１実施形態乃至第５実施形態について図面を参照して詳細に説明する。なお、以下の説明においては、人体を基準として高さ方向、水平方向を定義し、人体の上方側を上方、下方側を下方、側方側を側方、人体に衣服用帯を装着したときの人体側を内側、反対側すなわち人体の外側を外側、人体の前側を前側、人体の後側を後側または背部として説明するものとする。また、本発明において、帯枕とは、胴帯における人体の背部相当位置に装着される器具であって、以下に説明するように、お太鼓を形成するために用いられる器具（お太鼓枕具）の他、人体の背部相当位置に装着され胴帯に装飾を施すために用いられる器具（装飾枕具）も含まれるものとする。
【００１７】
[第１実施形態]
図１は、本発明の第１実施形態に係る衣服用帯の全体構成を示す背面図である。同図を参照して本発明の衣服用帯の概要を説明すると、衣服用帯１は、主に和服等の衣服に用いられ、人体の胴部１０ａに巻き付けられる胴帯１０と、胴帯１０における人体の背部相当位置に装着される帯枕１００と、帯枕１００を介して胴帯１０に装着され胴帯１０と別体として形成されるお太鼓２００と、を有している。
【００１８】
胴帯１０は、図２および図３に示すように、長尺な矩形状をなしており、その表面側には線状部材２０，３０が長手方向に沿って設けられている。
線状部材２０，３０は、針金状の部材で形成されており、プラスチック製としている。線状部材２０，３０は、所定の長さを有し、胴帯１０の上端縁部および胴帯１０の高さ方向の中間部にそれぞれ設けられており、胴帯１０の表面側において物品４０を引っ掛け可能に設けられている。
【００１９】
胴帯１０は、線状部材２０，３０の位置を固定する位置固定部２１，３１を有しており、位置固定部２１，３１は、胴帯１０の表面側の複数個所に所定の間隔をおいて設けられる。隣り合う位置固定部２１，３１間においては、線状部材２０，３０と胴帯１０とは非固定状態となっており離間可能な離間部２２，３２となっている。複数の位置固定部２１，３１は、高さ方向の位置を一定に設けられている。
【００２０】
胴帯１０は、線状部材２０，３０をその表面側から覆い隠す被覆部２３，３３を有している。被覆部２３，３３は、胴帯１０の上端縁部に設けられる線状部材２０を被覆する第１の被覆部２３と、胴帯１０の高さ方向の中間部に設けられる線状部材３０を被覆する第２の被覆部３３を有している。被覆部２３，３３は、胴帯１０を形成する一枚の帯状の材料１１を外側および内側に折り込んで形成される谷部２４，３４に設定されている。一枚の帯状の材料１１は布材料または紙材料としている。なお、線状部材２０，３０、位置固定部２１，３１、および離間部２２，３２は、胴帯１０を人体の胴部１０ａに巻き付けたときに側方から前方側に位置するように、胴帯１０の一方の側端１２から中間位置（胴帯１０の２／３程度の長さ位置）に設けられている。
【００２１】
ここで、被覆部２３，３３の形成方法および胴帯１０の形成方法を説明すると次のようになる。
すなわち、図４に示すように、まず胴帯１０を形成する帯状の材料１１を用意し（図４（ａ））、帯状の材料１１の上縁部から下方側を前方側に折り込むことにより谷部２４を設定し、この谷部２４を第１の被覆部２３とする（図４（ｂ））。次いで、帯状の材料１１を所定の長さＬを残しながら更に後方側に折り込む（図４（ｃ））。このように帯状の材料１１を更に後方側に折り込むことにより、Ｖ字状の谷部２４を形成する一対の帯片２４ａ，２４ｂのいずれもが最外部にある帯状の材料１１ａの内側に隠れた状態となる。
【００２２】
更に胴帯１０の高さ方向の中間部を後方側に折り込むとともに（図４（ｄ））、後方側に折り込んだ部分を所定の長さＭを残しながら更に前方側に折り込むことにより谷部３４を設定し、この谷部３４を第２の被覆部３３とする（図４（ｅ））。上記と同様に、帯状の材料１１を更に後方側に折り込むことにより、Ｖ字状の谷部３４を形成する一対の帯片３４ａ，３４ｂのいずれもが最外部にある帯状の材料１１ａの後方側に隠れた状態となる。
【００２３】
このように形成された谷部２４，３４に、線状部材２０，３０を敷設し（図４（ｆ））、該敷設した状態で谷部２４の一対の帯片２４ａ，２４ｂの上端部，谷部３４の一対の帯片３４ａ，３４ｂの下端部を長手方向に一定の間隔で閉塞し位置固定部２１，３１を形成する。位置固定部２１，３１は、谷部２４，３４の帯片２４ａ，２４ｂ，３４ａ，３４ｂを糸により裁縫して縫い合わせるようにして形成される（図４（ｇ））。上記の如く、隣り合う位置固定部２１，３１間においては、線状部材２０，３０と胴帯１０とが離間可能な離間部２２，３２が形成されており、この離間部２２，３２において物品４０が線状部材２０，３０に引っ掛けられる。なお、位置固定部２１，３１においては、帯片２４ａ，２４ｂ，３４ａ，３４ｃが糸で縫い合わされるのみで、線状部材２０，３０は、帯片２４ａ，２４ｂ，３４ａ，３４ｃに固着されていない。このため、線状部材２０，３０を、被覆部２３，３３から引っ張り出すように露出させながら物品４０を引っ掛けることができる。位置固定部２１，３１における糸が縫い合わされる位置は、線状部材２０の上方側および線状部材３０の下方側であり、線状部材２０，３０は、Ｖ字状の谷部２４，３４を形成する帯片２４ａ，２４ｂ，３４ａ，３４ｃと糸により内包されるように固定される。
【００２４】
物品４０は、フック部４１と装飾部４２からなり、フック部４１を線状部材２０，３０に引っ掛けるとともに、装飾部４２を被覆部２３，３３から露出させて胴帯１０の装飾を行う（図４（ｈ））。なお、谷部２４，３４は、該谷部２４，３４を形成する帯片２４ａ，２４ｂ，３４ａ，３４ｂのいずれもが最外部にある帯状の材料１１ａの内側に隠れた状態となるので帯片２４ａ，２４ｂ，３４ａ，３４ｂを裁縫して縫い合わせたときに、縫い目も最外部にある帯状の材料１１ａから隠された状態となり美観を損なうことがない。
【００２５】
図２および図３に戻り、胴帯１０は、胴帯１０を人体の胴部１０ａに着脱自在に着脱するための着脱具５０，６０を設けている。
着脱具５０，６０は、ベルト部５１，６１、孔部５２，６２、および環状部５３，６３からなる。ベルト部５１，６１は、胴帯１０の他方の側端１３の上位置と下位置から側方にベルト状に延びるように形成されている。ベルト部５１，６１は、先端に釦５４，６４が設けられるとともに、釦５４，６４を嵌め込み可能に形成された孔５５，６５が長手方向に複数並べて設けられている。ベルト部５１，６１は、伸縮可能な材料より詳しくはゴム材料で形成されている。これにより、胴帯１０は、胴部１０ａに装着し環状に形成されたとき伸縮可能な構成とすることができる。
【００２６】
孔部５２，６２は、ベルト部５１，６１の高さ位置と対応するように、胴帯１０の水平方向の中間部（正確には胴帯１０の一方の側端１２から２／３程度の長さ位置）の上位置と下位置に設けられており、ベルト部５１，６１を差し込み可能に形成されている。
環状部５３，６３は、Ｄ字状に形成されている。環状部５３，６３は、同じくベルト部５１，６１の高さ位置と対応するように、胴帯１０の他方の側端１３の上位置と下位置に設けられており、ベルト部５１，６１を差し込み可能に形成されている。
【００２７】
このように構成された着脱具５０，６０による胴帯１０の着脱方法は図５のように説明される。
すなわち、まず胴帯１０を人体の胴部１０ａに装着する。つまり、胴部１０を人体の胴部１０ａに巻き付けながら、ベルト部５１，６１の先端を、孔部５２，６２を介して胴帯１０の裏面側（内側）から表面側（外側）に挿通させるとともに（図５（ａ））、挿通させたベルト部５１，６１の先端を、環状部５３，６３を介して裏面側（内側）から表面側（外側）に挿通しかつ折り返して（図５（ｂ））、更に折り返したベルト部５１，６１の先端の釦５４，６４をベルト部５１，６１の中間部の孔５５，６５に嵌め込むことにより、胴帯１０を人体の胴部１０ａに装着することができる（図５（ｃ））。
【００２８】
帯枕１００は、図６に示すように、お太鼓２００を形成するお太鼓帯２０１を胴帯１０に装着するお太鼓枕具１１０として機能し、お太鼓枕具１１０は、お太鼓帯２０１を装着するお太鼓装着部１２０と、お太鼓装着部１２０を胴帯１０に固定するお太鼓固定部１３０と、を有している。
お太鼓装着部１２０は、お太鼓帯２０１を巻き付ける巻き付け部１２１と、お太鼓帯２０１を挿通しながら巻き付け部１２１に供給する挿通部１２２を有している。
【００２９】
すなわち、巻き付け部１２１は、水平方向に断面Ｄ字状に延びており、断面円弧状の面を有している。巻き付け部１２１は、その表面側にお太鼓帯２０１を巻き付けてお太鼓２００の形状を形成する機能を有している。挿通部１２２は、巻き付け部１２１の下方側に枠状に設けられており、枠体の開口にお太鼓帯２０１を挿通して巻き付け部１２１に供給する機能を有している。お太鼓装着部１２０より詳しくは巻き付け部１２１および挿通部１２２は、人体の背部に沿うように湾曲した形状に形成されている。
【００３０】
お太鼓固定部１３０は、Ｄ字状の湾曲した巻き付け部１２１の中央部の内側正確には湾曲した枠状の挿通部１２２の中央部の内側より詳しくは内側の端部側から下方側に延びる板状体としている。お太鼓固定部１３０は、外側の面にクリップ状部材１３１を設けており、クリップ状部材１３１と板状体との間に胴帯１０を差し込むことにより、お太鼓枕具１１０を胴帯１０に固定することができる。お太鼓固定部１３０には、表面側から裏面側に貫通する複数の貫通孔１３０ａが形成されており、人体にお太鼓枕具１１０を装着したときに通気性が確保されるように考慮されている。
【００３１】
クリップ状部材１３１は、図７に拡大して示すように、基部１３２とクリップ部１３３から構成されている。お太鼓固定部１３０には、基部１３２の形状に対応するように、板状体の側面の内部をくり抜いてくり抜き部１３４が形成されている。
【００３２】
すなわち、基部１３２は、板状かつ断面略Ｊ字状に形成されたＪ字部１３２ａを有しており、Ｊ字部１３２ａがくり抜き部１３４に嵌め込まれるとともに、Ｊ字部１３２ａの上端部の外側端部にクリップ部１３３が設けられている。クリップ部１３３は、下方側に板状にかつお太鼓固定部１３０の外面側と一定の間隔を置いて略平行に延びており、下部側は、外側に傾斜して差し込み口を大きくしている。これにより、胴帯１０の差し込みを容易に行うことができる。
【００３３】
Ｊ字部１３２ａの上端部の内側端部および下端部の内側端部にはそれぞれ下方側および上方側に板状に延びる爪部１３２ｂ，１３２ｃが設けられている。爪部１３２ｂ，１３２ｃは、お太鼓固定部１３０の外面に密着するように設けられており、クリップ状部材１３１がくり抜き部１３４の側方から抜け出ることを確実に防止することができる。
【００３４】
クリップ状部材１３１をくり抜き部１３４に嵌め込んだ後は、板片１３５により側方から塞ぎクリップ状部材１３１がくり抜き部１３４から抜け出ることを確実に防止することができる。
ここで、お太鼓枕具１１０は、お太鼓装着部１２０に取り付けられて更にお太鼓枕具１１０の装飾を補助して行うお太鼓補助具１４０を有している。
お太鼓補助具１４０は、図８示すように、固定具１４１と補助具１４２を有している。
【００３５】
固定具１４１は、Ｄ字状のお太鼓装着部１２０（巻き付け部１２１）に対応する湾曲形状を有しており、断面円弧状より詳しくは断面Ｃ字状に形成されている。固定具１４１は、お太鼓装着部１２０（巻き付け部１２１）の側周面に嵌め込んで固定される。
【００３６】
補助具１４２は、固定具１４１に設けられお太鼓枕具１１０の装飾を補助して行う機能を有している。補助具１４２は、クリップ状部材１４２で形成されており、固定具１４１から下方側に棒状に延びて装飾２５０を水平方向に取り付けることができる。クリップ状部材１４２は、開閉可能となっており、装飾２５０を挟み込んで保持することができる。
【００３７】
なお、本第１実施形態のお太鼓枕具１１０およびお太鼓補助具１４０は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本第１実施形態のお太鼓枕具１１０およびお太鼓補助具１４０の材料として適する。お太鼓枕具１１０およびお太鼓補助具１４０は、射出成形金型、射出成形簡易金型、注形金型（ゴム型）により一体成型することができる。
【００３８】
以上のように構成された衣服用帯１の装着方法を説明すると次のようになる。
すなわち、図９に示すように、まず胴帯１０を人体の胴部１０ａに装着する。この胴帯１０の装着は、前後を逆にして行う（この装着方法の詳細は、上記した図５の如く説明される）。
【００３９】
次いで、図１０に示すように、人体の胴部１０ａの前部側でお太鼓枕具１１０を胴帯１０に差し込む。この差し込みはクリップ状部材１３１を介して行う。
続いて、図１１に示すように、お太鼓帯２０１をお太鼓枕具１１０の挿通部１２２に下方側からかつ外側から内側に向けて挿通し、巻き付け部１２１に巻き付けて内側から外側に送り出して、更にお太鼓帯２０１の一端部を下方側に下ろす。次に、図１２に示すように、お太鼓帯２０１の両端部を釦等により結合させて、お太鼓帯２０１をお太鼓２００の形状に形成する。
【００４０】
次いで、図１３に示すように、お太鼓補助具１４０を、お太鼓２００の内側に挿入して固定具１４１を巻き付け部１２１の側周面に嵌め込んで固定する。この固定具１４１の嵌め込みは、図１４に示すように、補助具１４２つまりクリップ状部材１４２が外側で開閉するように嵌め込む。
【００４１】
続いて、図１５に示すように、クリップ状部材１４２に羽根飾り等の装飾２５０を挟み込んで保持し、次いで、図１６に示すように、胴帯１０を胴部１０ａ上で半回転させ、お太鼓枕具１１０が人体の背部相当位置に位置するようにする。
次に、図１７に示すように、離間部２２，３２において、胴帯１０に設けられた線状部材２０，３０に物品４０のフック部４１を引っ掛けて、装飾部４２による胴帯１０の装飾を行う。
【００４２】
以上説明したように、本第１実施形態によれば、胴帯１０の表面側に線状部材２０，３０を長手方向に沿って設けることとしたので、線状部材２０，３０に物品４０を引っ掛ける等することにより、様々な装飾を容易に施すことができる。
また、線状部材２０，３０を胴帯１０の表面側から覆い隠す被覆部２３，３３を有することとしたので、線状部材２０，３０を覆い隠すことができ、衣服用帯１の美観を損なうことを防止することができる。
【００４３】
更に、被覆部２３，３３は、一枚の帯状の材料１１を折り込んで形成される谷部２４，３４に設定されることとしたので、被覆部２３，３３を形成するために格別の材料を要することなく被覆部２３，３３を効率よく形成することができる。
また更に、位置固定部２１，３１は、谷部２４，３４を長手方向に一定の間隔で閉塞するように形成されることとしたので、線状部材２０，３０を谷部２４，３４に確実に固定することができるとともに、閉塞した位置固定部２１，３１間において線状部材２０，３０と胴帯１０とを容易に離間した状態とすることができ、線状部材２０，３０に物品４０を容易に引っ掛けることができる。
【００４４】
更にまた、線状部材２０，３０は、針金状の部材とし、針金状の部材は、プラスチック製とすることとしたので、胴帯１０を胴部１０ａに巻き付ける際に線状部材２０，３０が障害となることを少なくすることができる。
また、胴帯１０は、伸縮可能に形成されることとしたので、胴帯１０を人体の胴部１０ａに装着し易くなる。
【００４５】
また更に、お太鼓枕具１１０は、お太鼓帯２００を装着するお太鼓装着部１２０と、お太鼓装着部１２０を胴帯１０に固定するお太鼓固定部１３０と、を有することとしたので、様々なお太鼓を容易に装着し形成することができる。
更に、お太鼓枕具１１０において、お太鼓装着部１２０は、水平方向に延びてお太鼓帯２０１を巻き付ける巻き付け部１２１と、巻き付け部１２１の下方側に枠状に設けられ、お太鼓帯２０１を挿通して巻き付け部１２１に供給する挿通部１２２と、を有することとしたので、お太鼓帯２０１を胴帯１０とは別体として容易に様々なお太鼓２００を形成することができる。
【００４６】
また更に、お太鼓補助具１４０において、補助具１４２は、クリップ状部材１４２とすることとしたので、より詳しくは、クリップ状部材１４２は、固定具１４１から下方側に延びて装飾２５０を水平方向に取り付けることとしたので、装飾２５０のバリエーションを向上させることができる。
【００４７】
なお、本第１実施形態においては、お太鼓枕具１１０のお太鼓装着部１２０を高さ方向に可動可能な構成とすることとしても良い。この場合にあっては、お太鼓２００の高さ方向の位置を自在に変更することができるのでより好ましい。
【００４８】
[第２実施形態]
次に本発明の第２実施形態について図１８および図１９を参照して詳細に説明する。なお、本第２実施形態においては、上述した第１実施形態と同一の符号が付された構成については同一の構成であるとしてその説明を省略することがあるものとする。また第１実施形態と同様の構成についてもその説明を省略することがあるものとする。
【００４９】
本第２実施形態における衣服用帯２は、胴帯を変更した構成を示しており、より詳しくは、胴帯１０´に設けられる線状部材２０´，３０´を針金状の部材より詳しくはプラスチック製の部材とするとともに、発光可能にまたは蛍光可能に形成した構成を示している。
【００５０】
すなわち、線状部材２０´,３０´は、該線状部材２０´,３０´上にＬＥＤ素子等の発光素子を並べて形成されており、または線状部材２０´，３０´に蛍光材料を施して形成されている。
本第２実施形態においては、線状部材２０´，３０´は、発光可能にまたは蛍光可能に形成されることとしたので、斬新な発想の衣服用帯２を提供することができる。
【００５１】
なお、本第２実施形態においては、胴帯１０´は、布材料や紙材料のみならずプラスチック材料を採用することができる。プラスチック材料は、例えば透明樹脂材料を採用することができ、その表面にラテックスプリントやＵＶプリント等により各種のプリントを行い模様を施すこととしても良い。また、プリントされたプラスチックフィルムを胴帯１０の表面に貼り付けて各種の模様を施すこととしても良い。更に胴帯１０の表面にＰＰ加工（Ｐｏｌｙ−Ｐｒｏｐｙｌｅｎｅ加工（ポリプロピレン加工））を施したり、各種の電飾を施すこととしても良い。また更に、胴帯１０に液晶を施して各種の画像を映し出すこととしても良い。
【００５２】
本第２実施形態においては、図１８および図１９からも明らかなように胴帯１０´の表面側において線状部材２０´,３０´を露出させた構成となっており、線状部材２０´，３０´を被覆する被覆部２３，３３を省略することができる。
【００５３】
[第３実施形態]
次に本発明の第３実施形態について図２０および図２１を参照して詳細に説明する。なお、本第３実施形態においては、上述した第１実施形態および第２実施形態と同一の符号が付された構成については同一の構成であるとしてその説明を省略することがあるものとする。また第１実施形態および第２実施形態と同様の構成についてもその説明を省略することがあるものとする。
【００５４】
本第３実施形態における衣服用帯３は、帯枕１００を変更した構成を示している。すなわち、本第３実施形態においては、お太鼓枕具１１０に代えて装飾枕具３００を胴帯１０の人体の背部相当位置に設けることとしている。
つまり、装飾枕具３００は、胴帯１０の人体の背部相当位置に装飾３５０を装着する機能を有しており、装飾３５０を装着する装飾装着部３１０と、装飾装着部３１０を胴帯１０に固定する装飾固定部３２０と、を有している。装飾枕具３００により胴帯１０とは別体として装飾３５０を施すことができ、様々な装飾を容易に施すことができる。
【００５５】
装飾装着部３１０は、水平方向に延びる筒状より詳しくは円筒形状に形成され、円筒形状の中空内部に装飾３５０を差し込む（挟み込む）ことができる。
より詳しくは、装飾装着部３１０は、上位置と下位置に配置された一対の半筒状部の両側部を突き合わせて筒状をなし、更に詳しくは、第１の半筒状部３１１つまり第１の半円筒形状部３１１と、第２の半筒状部３１２つまり第２の半円筒形状部３１２の両側部を突き合わせて円筒形状を形成している。円筒形状の中空内部には、例えば羽根飾り等の装飾３５０が挟み込むように挿入され、円筒形状の両端部から羽根３５０ａが突出する構成とすることができる。
【００５６】
ここで、装飾装着部３１０は、第１の半円筒形状部３１１と第２の半円筒形状部３１２の一方の突き合わせ端部を回動可能に連結する軸体３１３を有しており、第１の半円筒形状部３１１と第２の半円筒形状部３１２は、軸体３１３を介して回動し開閉可能に形成されている。第１の半円筒形状部３１１と第２の半円筒形状部３１２は、内側が開閉可能に形成される。
【００５７】
本第３実施形態にあっては、装飾装着部３１０は、水平方向に延びて筒状に形成されることとしたので、筒状の中空内部に差し込むことにより様々な装飾を容易に施すことができる。
また、一対の半円筒形状部を突き合わせて形成される装飾装着部３１０は、軸体３１３を介して開閉可能に形成されることとしたので、半円筒形状部３１２，３１３を開放して羽根飾り等の装飾３５０を挿入することができる等、装飾枕具３００の操作性を向上させて容易に装飾を行うことができる。
【００５８】
更に、第１の半円筒形状部３１１と第２の半円筒形状部３１２は、内側が開閉可能に形成されることとしたので、すなわち人体側が開閉可能に形成されることとしたので、装飾３５０の挿入動作が目視し易く、また装飾３５０を落下させることも少なく操作性を更に向上させることができる。なお、本第３実施形態においては装飾装着部３１０の側周面３１０ａが外部に露出した構成となっており、該側周面３１０ａに模様を施すこととしても良い。
【００５９】
装飾固定部３２０は、円筒形状の装飾装着部３１０の内側より詳しくは内側端部から下方側に板状に延びる板状体を有している。より詳しくは、装飾固定部３２０は、逆Ｌ字状に形成されており、水平方向に装飾装着部３１０の内側端部相当位置まで板状に延びる第１の板状体３２０ａと、高さ方向に板状に延びる第２の板状体３２０ｂを有している。第１の板状体３２０ａに装飾装着部３１０が固定され、第２の板状体３２０ｂは、第１の板状体３２０ａの内側端部から下方側に延びている。つまり、第２の板状体３２０ｂは、装飾装着部３１０の内側より詳しくは内側端部相当位置から下方側に板状に延びている。また、第２の板状体３２０ａには、表面側から裏面側に貫通する複数の貫通孔３２０ｃが形成されており、人体に装飾枕具３００を装着したときに通気性が確保されるように考慮されている。
【００６０】
この第２の板状体３２０ｂは、外面側にクリップ状部材３２１を設けており、クリップ状部材３２１と第２の板状体３２０ｂとの間に胴帯１０を差し込むことができる。第２の板状体３２０ｂの側面には、その内部をくり抜いて形成されるくり抜き部３２４が設けられており、クリップ状部材３２１をくり抜き部３２４に嵌め込んだ後は、板片３２５により外方側からくり抜き部３２４を塞ぐ。クリップ状部材３２１、くり抜き部３２４、および板片３２５は、上述した第１実施形態のクリップ状部材１３１、くり抜き部１３４、および板片１３５と同様の構成となっており、クリップ状部材３２１は、上述した基部１３２、Ｊ字部１３２ａ、爪部１３２ｂ，１３２ｃ、クリップ部１３３と同様の構成となる基部３２２、Ｊ字部３２２ａ、爪部３２２ｂ，３２２ｃ、クリップ部３２３を有している。
【００６１】
なお、本第３実施形態においては、装飾枕具３００の装飾装着部３１０は開閉可能な構成とすることとしているが、図２２に示すように装飾枕具３００´の装飾装着部３１０´を単に円筒形状とすることとして開閉しない構成としても、円筒形状の中空内部に装飾を差し込むことができ、所要の効果を奏する（図２２においても図２０と同様の構成については説明を省略するものとする）。
【００６２】
また、本第３実施形態においては、装飾枕具３００の装飾装着部３１０は位置を固定した構成とすることとしているが、図２３に示すように、装飾枕具３００´´において装飾装着部３１０を高さ方向に可動可能な構成とすることとしてもよい。この場合にあっては、装飾の高さ方向の位置を自在に変更しながら装飾装着部３１０の円筒形状の中空内部に装飾を差し込むことができるのでより好ましい。
【００６３】
この装飾枕具３００´´においては、図２３からも明らかなように、軸体３１３を介して開閉可能な装飾装着部３１０と装飾固定部３２０´´との間に断面Ｌ字状の可動枠体３４０´´を介在させるとともに、装飾固定部３２０´´を枠体状とする（可動枠体３４０´´は、水平方向に延びる板状体３４０ａ´´と、高さ方向に延びる枠状体３４０ｂ´´を有しており、装飾固定部３２０´´および枠状体３４０ｂ´´は、装飾装着部３１０の内側より詳しくは内側端部相当位置から下方側に延びている）。そして、装飾固定部３２０´´の両内側面３２０ａ´´，３２０ｂ´´に案内溝を形成する等して、可動枠体３４０´´の両外側面３４１ａ´´，３４１ｂ´´を装飾固定部３２０´´の両内側面３２０ａ´´，３２０ｂ´´に沿って案内可能な構成とする。可動枠体３４０´´の一方の外側面３４１ａ´´には、高さ方向に複数の孔３４１ｃ´´が設けられ、この孔３４１ｃ´´に、装飾固定部３２０´´の側部を貫通する軸体３２０ｃ´´を差し込むことにより所定の高さ位置に固定することができる。
【００６４】
この装飾枕具３００´´においても、クリップ状部材３２１、枠状体３４０ｂ´´の外側面の内部をくり抜いて形成されるくり抜き部３２４´´、および板片３２５を有している。
なお、図２４に示す装飾枕具３００ａ´´のように、クリップ状部材３２１ａ´´を単に異なる高さ位置に取り付けて装飾の高さ方向の位置を変更することとしても所要の効果を奏することができる。
【００６５】
ここで、本第３実施形態の装飾枕具３００,３００´,３００´´,３００ａ´´は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本実施形態の装飾枕具３００,３００´,３００´´,３００ａ´´の材料として適する。装飾枕具３００,３００´,３００´´,３００ａ´´は、射出成形金型、射出成形簡易金型、注形金型（ゴム型）により一体成型することができる（図２５に金型により一体成型された装飾枕具３００ａ´´を代表例として示す）。
【００６６】
[第４実施形態]
次に本発明の第４実施形態について図２６および図２７を参照して詳細に説明する。なお、本第４実施形態の説明においては、上述した第１実施形態乃至第３実施形態と同一の符号が付された構成については同一の構成であるとしてその説明を省略することがあるものとする。また第１実施形態乃至第３実施形態と同様の構成についてもその説明を省略することがあるものとする。
【００６７】
本第４実施形態における衣服用帯４は、装飾枕具３００，３００´,３００´´,３００ａ´´に装飾補助具４００を装着した構成を示している。
すなわち、装飾補助具４００は、円筒形状の側周面において周方向の一部を切り欠いて、断面円弧状より詳しくは断面Ｃ字状の筒状に形成されており、装飾３５０を施す装飾枕具３００，３００´,３００´´,３００ａ´´の装飾装着部３１０,３１０´,３１０´´,３１０ａ´´に切り欠きを介して嵌め込み可能となっている。装飾補助具４００の側周面には各種の模様を施すことができ、衣服用帯４の美観を向上させることができる。なお、装飾補助具４００の切り欠きを形成する一方の端部４１０の隅部（両隅部）には欠け部４３０が形成されるとともに、装飾補助具４００が嵌め込まれる装飾枕具３００，３００´,３００´´,３００ａ´´には突部３５０，３５０´,３５０´´,３５０ａ´´が形成されている。
【００６８】
これにより、装飾補助具４００の回転を規制する等、装飾補助具４００を装飾枕具３００，３００´,３００´´,３００ａ´´に安定して固定することができる。また、装飾補助具４００は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本実施形態の装飾補助具４００の材料として適する。装飾補助具４００は、射出成形金型、射出成形簡易金型、注形金型（ゴム型）により一体成型することができる。
【００６９】
[第５実施形態]
次に本発明の第５実施形態について図２８および図２９を参照して詳細に説明する。なお、本第５実施形態においては、上述した第１実施形態乃至第４実施形態と同一の符号が付された構成については同一の構成であるとしてその説明を省略することがあるものとする。また第１実施形態乃至第４実施形態と同様の構成についてもその説明を省略することがあるものとする。
【００７０】
本第５実施形態における衣服用帯５は、第４実施形態の装飾補助具４００を更に変更した構成を示している。
すなわち、本第５実施形態の装飾補助具５００は、固定具５１０と、固定具５１０に設けられ装飾枕具３００，３００´,３００´´, ３００ａ´´の装飾を補助して行う補助具５２０と、を有している。
【００７１】
固定具５１０は、円筒形状の側周面において周方向の一部を切り欠いて、断面円弧状より詳しくは断面Ｃ字状の筒状に形成されており、装飾枕具３００，３００´,３００´´, ３００ａ´´の装飾装着部３１０,３１０´，３１０´´, ３１０ａ´´に切り欠きを介して嵌め込まれ固定可能な構成となっている。
補助具５２０は、立体的な形状より詳しくは多面体形状更に詳しくは立方体形状に形成されており、ゴム製の材料等の弾性体で形成されている。多面体形状をなす補助具５２０の各面には、孔部５２１が設けられており、孔部５２１は、弾性体より詳しくはゴム状の膜により閉塞されるとともに、弾性体には、切り込み５２２が設けられている。
【００７２】
なお、装飾補助具５００の補助具５２０は、立方体形状に代えて直方体形状とすることとしても所要の効果を奏する。また、図３０に示すように、装飾補助具５００´の補助具５２０´を球形状とし、孔部５２１´を設けて、該孔部５２１´を、弾性体より詳しくはゴム状の膜により閉塞し、弾性体に、切り込み５２２´を設けることとしても所要の効果を奏する。
【００７３】
すなわち、補助具５２０，５２０´は、多面体形状または球形状とし、多面体形状または球形状は、孔部５２１，５２１´を有することとしたので、孔部５２１，５２１´に装飾５５０，５６０を差し込む等することにより各種の方向に向けて装飾５５０，５６０を施すことができ、装飾５５０，５６０のバリエーションを向上させることができる。
【００７４】
孔部５２１，５２１´は、弾性体により閉塞されるとともに、弾性体には、切り込み５２２,５２２´が設けられることとしたので、切り込み５２２,５２２´が作用することにより、装飾５５０，５６０の挿入に支障を来すことが少なく、かつ、装飾５５０，５６０が抜け出ることも適切に防止することができる。
なお、図３１に示すように、孔部５２１に短尺な円柱形状のキャップ部材５２３を設け、キャップ部材５２３の上面５２４に模様を施すこととしてもよい。キャップ部材５２３の上面５２４には、例えば透明なスワロフスキー粒子等のガラス粒子、透明な透光性ビーズやダイヤモンド粒子等、更には発光素子や蛍光材料を施すこととすれば、衣装用帯の美観を更に一層向上させることができる。
【００７５】
ここで、装飾補助具５００，５００´は、ポリプロピレン（ＰＰ）樹脂で形成されている。ポリプロピレン（ＰＰ）樹脂は、破損した場合にあっても破損部が鋭利にならない、形状が身体の動きに追従できる柔軟性がある、耐薬品性に優れる等の有利点があり、本実施形態の装飾補助具５００,５００´の材料として適する。ポリプロピレン（ＰＰ）樹脂により形成される装飾補助具５００,５００´は、射出成形金型、射出成形簡易金型、注形金型（ゴム型）により一体成型することができる。
【００７６】
また、装飾補助具５００，５００´の切り欠きを形成する一方の端部５１０，５１０´の隅部（両隅部）には欠け部５３０，５３０´が形成されるとともに、装飾補助具５００，５００´が嵌め込まれる装飾枕具３００，３００´,３００´´,３００ａ´´には突部３５０，３５０´,３５０´´,３５０ａ´´が形成されている。これにより、装飾補助具５００，５００´の回転を規制することができる。
【産業上の利用可能性】
【００７７】
本発明は、様々なお太鼓を容易に形成しまたは様々な装飾を容易に施すことができる帯枕を提供し、帯の新たな需要を喚起し関係業界の発展に大きく寄与する。
【符号の説明】
【００７８】
Ｌ：長さ
Ｍ：長さ
１：衣服用帯
２：衣服用帯
３：衣服用帯
４：衣服用帯
５：衣服用帯
１０：胴帯
１０ａ：胴部
１１：帯状の材料
１１ａ：最外部にある帯状の材料
１２：一方の側端
１３：他方の側端
２０，３０：線状部材
２０´，３０´：線状部材
２１，３１：位置固定部
２２，３２：離間部
２３，３３：被覆部
２４，３４：谷部
２４ａ，２４ｂ：帯片
３４ａ，３４ｂ：帯片
４０：物品
４１：フック部
４２：装飾部
５０，６０：着脱具
５１，６１：ベルト部
５２，６２：孔部
５３，６３：環状部
５４，６４：釦
５５，６５：孔
１００：帯枕
１１０：お太鼓枕具
１２０：お太鼓装着部
１２１：巻き付け部
１２２：挿通部
１３０：お太鼓固定部
１３１：クリップ状部材
１３２：基部
１３２ａ：Ｊ字部
１３２ｂ，１３２ｃ：爪部
１３３：クリップ部
１３４：くり抜き部
１３５：板片
１４０：お太鼓補助具
１４１：固定具
１４２：補助具（クリップ状部材）
２００：お太鼓
２０１：お太鼓帯
２５０：装飾
３００：装飾枕具
３００´：装飾枕具
３００´´：装飾枕具
３００ａ´´：装飾枕具
３１０：装飾装着部
３１０´：装飾装着部
３１０ａ´´：装飾装着部
３１０ａ：側周面
３１１：第１の半筒状部（第１の半円筒形状部）
３１２：第２の半筒状部（第２の半円筒形状部）
３１３：軸体
３２０：装飾固定部
３２０´´：装飾固定部
３２０ａ：第１の板状体
３２０ａ´´：内側面
３２０ｂ：第２の板状体
３２０ｂ´´：内側面
３２０ｃ：貫通孔
３２０ｃ´´：軸体
３２１：クリップ状部材
３２１ａ´´：クリップ状部材
３２２：基部
３２２ａ：Ｊ字部
３２２ｂ，３２２ｃ：爪部
３２３：クリップ部
３２４：くり抜き部
３２４´´：くり抜き部
３２５：板片
３４０´´：可動枠体
３４０ａ´´：板状体
３４０ｂ´´：枠状体
３４１ａ´´：外側面
３４１ｂ´´：外側面
３４１ｃ´´：孔
３５０：装飾
３５０ａ：羽根
４００：装飾補助具
４１０：端部
４３０：欠け部
５００：装飾補助具
５００´：装飾補助具
５１０：固定具
５１０ａ：端部
５１０ａ´：端部
５２０：補助具
５２０´：補助具
５２１：孔
５２１´：孔
５２２：切り込み
５２２´：切り込み
５２３：キャップ部材
５２４：上面
５３０ａ：欠け部
５３０ａ´：欠け部
５５０：装飾
５６０：装飾
【図１】
2018066104.tif 000003
【図２】
2018066104.tif 000004
【図３】
2018066104.tif 000005
【図４】
2018066104.tif 000006
【図５】
2018066104.tif 000007
【図６】
2018066104.tif 000008
【図７】
2018066104.tif 000009
【図８】
2018066104.tif 000010
【図９】
2018066104.tif 000011
【図１０】
2018066104.tif 000012
【図１１】
2018066104.tif 000013
【図１２】
2018066104.tif 000014
【図１３】
2018066104.tif 000015
【図１４】
2018066104.tif 000016
【図１５】
2018066104.tif 000017
【図１６】
2018066104.tif 000018
【図１７】
2018066104.tif 000019
【図１８】
2018066104.tif 000020
【図１９】
2018066104.tif 000021
【図２０】
2018066104.tif 000022
【図２１】
2018066104.tif 000023
【図２２】
2018066104.tif 000024
【図２３】
2018066104.tif 000025
【図２４】
2018066104.tif 000026
【図２５】
2018066104.tif 000027
【図２６】
2018066104.tif 000028
【図２７】
2018066104.tif 000029
【図２８】
2018066104.tif 000030
【図２９】
2018066104.tif 000031
【図３０】
2018066104.tif 000032
【図３１】
2018066104.tif 000033